(57)【要約】      （修正有）【課題】シンクに取付けるまな板において、まな板を取り外さないで回転と押し込みだけで格納可能にし、また、まな板だけを簡単に取り外し可能にして、裏返して使用したり、天日に干して消毒したり、食器洗い乾燥機に入れられることもできるまな板を実現する。【解決手段】まな板１の対向する２辺にそれぞれＵ字型突出部２，３を設け、一方のＵ字型突出部２の横軸が周辺デッキ部４に固着した受け部６と嵌合している。他方の、周辺デッキ部４に乗るＵ字型突出部３を持ち上げて、まな板１を立てて格納したり、左右に移動して横側周辺デッキ部４に乗せたり、シンクの底に落として洗い易くした。まな板１だけを取り外して裏返したり、天日に干したり、食器洗い乾燥機に入れて洗浄、乾燥できる。【選択図】図１
2006109932.tif 000002
【特許請求の範囲】
【請求項１】
対向する２辺にそれぞれ突出部が設置されたまな板と、シンクの周辺デッキ部に固着する
受け部とで構成され、前記突出部の少なくとも一方が、前記まな板に対して出入り可能で
であり、前記突出部の、横軸が前記受け部と着脱可能に嵌合し、前記まな板は前記横軸の
軸方向の移動と、前記横軸中心の回転が可能であるようにしたことを特徴とするシンクに
取付るまな板。
【発明の詳細な説明】
【技術分野】
【０００１】
本発明は台所のシンクに取付るまな板に関する。
【背景技術】
【０００２】
従来のシンクに取付るまな板は、まな板と一体化された吸盤によって、シンク周辺デッキ
部に固定され、また収納、取付のたびに吸盤を外したり、吸着させたりしているものがあ
る。
（例えば、特許文献１参照。）。
また、吸盤によってシンク壁面に取付ているものもある（例えば、特許文献２参照。）。
【０００３】
以下、図４、図５により従来のシンクに取付るまな板について説明する。図４において、
まな板本体２０の対向辺部に突設された把手２２に、吸盤２３が回転自在に装着されてい
る。
【０００４】
又図５において、基盤１に設けられた吸盤１ａによりシンク垂直壁面に取付られている。
【０００５】
【特許文献１】特開平８−２８９８５１号公報
【特許文献２】特開平１１−３０９０７５号公報
【発明の開示】
【発明が解決しようとする課題】
【０００６】
特許文献１のまな板では、使用したり、格納するたびに、吸盤を吸着したり、外したりし
ている。吸盤は一度吸着すると長時間外さないものである。また長時間外さなくても、い
つか外れることが多い。もししばしば吸着したり、外したりすると、吸着面が汚れたり、
ゴミなどが付着して吸着力が急激に劣化する。まな板は包丁を使うための道具で、吸盤が
外れると極めて危険である。
【０００７】
特許文献２のまな板は吸盤でシンクの垂直壁面に固定しているので、特許文献１のように
水平面での使用よりもさらに外れやすい。又このまな板は、横移動や、裏面の使用ができ
ない。又極めて複雑な構造である。
【０００８】
本発明は、このような従来の構造が有していた問題を解決しようとするものであり、簡単
な構造で、まな板を取り外さないで回転と押し込みだけで格納可能にし、また、まな板だ
けを簡単に取り外し可能にして、裏返して使用したり、天日に干して消毒したり、食器洗
い乾燥機に入れられることもできるまな板を実現することを目的とするものである。
【課題を解決するための手段】
【０００９】
本発明は上記目的を達成するために、本発明のシンクに取付るまな板は、対向する２辺に
それぞれＵ字型突出部が設置されたまな板本体と、シンクの周辺デッキ部に固着された受
け部とで構成され、前記Ｕ字型突出部の少なくとも一方が、前記まな板に対して出入り可
能で、且つ、前記突出部の、横軸が前記受け部と着脱可能に嵌合し、前記まな板は前記横
軸の軸方向への移動と、前記横軸中心の回転が可能であるようにしたものである。
【発明の効果】
【００１０】
上述したように本発明のシンクに取付るまな板は、シンクに取付たまま、手前のＵ字型突
出部を持ち上げて、格納出来る。
【００１１】
また受け部を残したまま、まな板だけを取り外し、裏返したり、天日に干したり、食器洗
い乾燥機に入れることができる。簡単に裏返しできるので、匂いのするなま物と野菜など
とに使い分けすることができる。
【００１２】
また左右に移動させて、水栓から水をかけて洗いやすい位置に持ってきたり、まな板の一
端をシンク周辺横側デッキ部の上に乗せて、シンクを広く使うことができる。
【００１３】
手前のＵ字型突出部をシンク底に落として、水栓から水を掛けて洗うことができる。
【００１４】
洗った後まな板を立てて格納すると、水滴がほとんどシンク内に流れる。
【００１５】
まな板の一端をシンク周辺横側デッキ部から外して水栓から水を掛けて洗うと、水はまな
板の周りからシンクに落ちて天板に水が掛からない。
【発明を実施するための最良の形態】
【００１６】
以下、本発明の実施の形態を図１〜図３に基ずいて説明する。
【００１７】
図において、１はまな板、２はまな板１の向こう側のＵ字型突出部、２Ａは向こう側のＵ
字型突出部２の横軸、３はまな板の手前側のＵ字型突出部、４はシンク周辺向う側デッキ
部、４Ａはシンク周辺手前側デッキ部、４Ｂはシンク周辺横側デッキ部、５はまな板の手
前側Ｕ字型突出部３に固着された滑り止めで、シンク周辺手前側デッキ部に当接する。６
はシンク周辺向う側デッキ部４に、両面テープ７により固着された、幅が横軸２Ａの長さ
より短い受け部である。
【００１８】
横軸２Ａは受け部６の横軸嵌合部６Ａにパチンと嵌合し、外すときは少し抵抗がある。手
前側Ｕ字型突出部３を持ち上げて前方に押すと、向こう側Ｕ字型突出部２はまな板１の中
に入る。手前側Ｕ字型突出部３をそのまま持ち上げてゆくと、まな板１は９０度以上回転
して受け部６の収納受け部６Ｂに当たって止まり、まな板１は収納される。まな板１の収
納以前に表面を水で洗っておくと収納したとき残った水滴は下に流れ、シンク周辺向う側
デッキ部を通ってシンク内に落ちる。受け部６はこの水滴の流れをできるだけ妨げない形
状になっている。
【００１９】
手前側Ｕ字型突出部３を少し持ち上げて、まな板１を図で左側に移動して左端をシンク周
辺横側デッキ部４Ｂに乗せると、シンクは広く使える。又図で左に移動すると水栓に近付
き洗いやすくなる。突出部３を少し前方に押して下に落とすと、シンク８の底８Ａに当り
止まる。こに位置で水栓から水を掛けて洗うと、乱暴に洗っても水が全部シンク内に流れ
る。
【００２０】
横軸２Ａを横軸嵌合部６Ａから外し、まな板１を裏返して同じようにセットできる。片側
を匂いのするなま物用、反対側を匂いのしない野菜などと使い分けすると良い。そのため
に片面に魚の絵などを印刷すると良い。取り外したまな板１は天日に干して消毒したり、
食器洗い乾燥機に入れて、洗浄、乾燥することができる。
【００２１】
シンク周辺向こう側デッキ部４へ、受け部６を取付ける方法は種々あるが、例えば、
吸着盤による取付は、濡れたとき横滑りしたり、外れたり、また上下に弾性があるなどで、まな板使用上危険である。シンク周辺向こう側デッキ部に薄い鉄板を両面テープで貼り付け、受け部６に強力磁石を組み込んで吸着させる方法は有効な手段である。受け部６を強力両面テープで貼り付けるのは簡便であるが、将来剥がすとき取りにくい。両面テープにタブが付いていて、それを引っ張ると剥がれるものがあるがこれは有効である。
【００２２】
以上の構成により、シンク周りが狭くても、まな板を便利に、シンク８を広く、有効に使
用することができる。
【図面の簡単な説明】
【００２３】
【図１】本発明の実施形態を示す、まな板をシンクに取付けた状態で左右に移動可能を示す平面図
【図２】図１におけるＡ−Ａ線断面図で、まな板の３種類の位置にある状態を示す
【図３】受け部６の斜視図
【図４】従来のシンクに取付るまな板の斜視図
【図５】従来の別のシンクに取付るまな板の斜視図
【符号の説明】
【００２４】
１    まな板
２    向こう側Ｕ字型突出部
２Ａ  横軸
３    手前側Ｕ字型突出部
４    シンク周辺向こう側デッキ部
６    受け部
【図１】
2006109932.tif 000003
【図２】
2006109932.tif 000004
【図３】
2006109932.tif 000005
【図４】
2006109932.tif 000006
【図５】
2006109932.tif 000007